(57)【要約】【課題】簡単な構成により、家電製品の使用時に不用意なシャッターの閉鎖を回避できるようにした家電収納キャビネットを提供する。【解決手段】家電収納キャビネット１０は、複数段の上下に並んでそれぞれ前面が開放した棚Ａと、これらの棚のうち少なくとも一つの家電収納用の棚Ａ２，Ａ３内に備えられた給電用の電源コンセント１９ａ，１９ｂと、これらの棚の開放した前面を閉鎖し得るように上方へ退避可能に支持されたシャッター１６とを備え、さらに、電源コンセント１９ａ，１９ｂを備えた棚におけるシャッター１６の閉鎖を機械的に阻止し得るストッパー２０をシャッターの通路に退避可能に設け、シャッター１６を閉鎖するためにはストッパー２０の退避操作を必要とした。【選択図】図２
2007325803.tif 000002
【特許請求の範囲】
【請求項１】
複数段の上下に並んでそれぞれ前面が開放した棚と、これらの棚のうち少なくとも一つの家電収納用の棚内に備えられた給電用の電源コンセントと、これらの棚の開放した前面を閉鎖し得るように上方へ退避可能に支持されたシャッターと、を含んでいる家電収納キャビネットであって、
上記電源コンセントを備えた棚における当該シャッターの閉鎖を機械的に阻止し得るストッパーを上記シャッターの通路に退避可能に設け、上記シャッターを閉鎖するためには上記ストッパーの退避操作を必要としたことを特徴とする、家電収納キャビネット。
【請求項２】
前記ストッパーを前記シャッターの通路から退避させる駆動手段と、
上記駆動手段を駆動制御する操作手段と、
を備えていることを特徴とする、請求項１に記載の家電収納キャビネット。
【発明の詳細な説明】
【技術分野】
【０００１】
本発明は、システムキッチン等における家電収納キャビネットに係り、特に使用時に水蒸気を発生するような家電製品を収納する家電収納棚を備えたシャッター付き家電収納キャビネットに関する。
【背景技術】
【０００２】
従来の家電収納キャビネット１は、図８及び図９に示すように、左右一対の側板２ａ，２ｂと、天板３，底板４及び背板５と、これら天板３と底板４との間で適当な間隔を有して配設された複数の棚板６と、から構成されており、互いに組み付けられることにより、前面が開放した複数段の棚、図示の場合、四段の棚Ａを画成している。底板４は、その下方に配置された台輪４ａにより僅かに浮き上がった状態に配置されている。
【０００３】
ここで、棚Ａのうち、最上段の棚Ａ１及び最下段の棚Ａ４は、例えば食器類や台所用品などを収納する通常の収納棚として構成されており、必要に応じて前面を閉鎖するための扉や引き戸などが備えられている。図示の実施形態では、最下段の棚Ａ４のみが扉Ａ４ａを備えている。
【０００４】
これに対して、中間の二段の棚Ａ２，Ａ３は、それぞれ電子レンジやコーヒーメーカーの収納用、そして電気ポットや電気炊飯器を収納するための家電収納棚として構成されている。中間の棚のうち下から二段目の棚Ａ３には、電気ポットや電気炊飯器の使用時に発生する水蒸気を外部へ排出するように、送風装置７が後端に配置されている。
【０００５】
この送風装置７は、図９に示すように、背板５に対して前側で平行に配置された遮蔽板７ａと、この遮蔽板７ａの裏側に配設された送風ファン７ｂと、この送風ファン７ｂを回転駆動するモータ（図示せず）と、から構成されている。遮蔽板７ａは上下端に全幅に亘って前方に開放した通気用の間隙を有しており、上記送風ファン７ｂはこの遮蔽板７ａの裏側に画成された空間の下方に配置されていて、送風ファン７ｂがモータにより回転駆動されると、送風ファン７ｂが上方に向かって空気を送出するとともに、棚Ａ３内から遮蔽板７ａの下方の間隙を介して空気を吸引し、遮蔽板７ａの上方の間隙を介して棚Ａ３内に、そして棚Ａ３から外部へ空気を送出するようになっている。
【０００６】
さらに、中間の二段の棚Ａ２，Ａ３には、それぞれ内部の後端面に、給電用の電源コンセント８ａ，８ｂが設けられている。これらの電源コンセント８ａ，８ｂは、外部の電源、例えば一般商用電源に接続されて常時給電されており、これらの電源コンセント８ａ，８ｂに、使用すべき電子レンジ，電気ポット，電気炊飯器等の家電製品の電源コードを接続することで、これらの家電製品がいつでも使用できるようになっている。
そして、特に棚Ａ３内の電源コンセント８ｂにて、家電製品の電源オンにより所定値以上の電流が流れたとき、これを検知して、送風装置７が作動するようになっている。
【０００７】
このように、家電収納キャビネット１においては、家電製品の使用時、特に水蒸気が発生するような電気ポット，コーヒーメーカー，電気炊飯器などの家電製品の使用時には、送風装置７を自動的に作動させることで、家電製品から発生する水蒸気を棚Ａ３から外部へ排出し、これにより棚Ａ３内における結露やカビの発生を防止するようにしている。
この種の家電収納キャビネットが特許文献１に開示されている。
【０００８】
しかしながら、このような家電収納キャビネット１においては、特に家電製品を収納するための棚Ａ２，Ａ３は前面が開放していることから、内部に収納している電子レンジ，電気ポット，電気炊飯器等の家電製品が露出し、雑然とした外観になってしまう。このため、例えば来客時等にあっては、棚Ａ２，Ａ３の前面もシャッターや扉などで覆って、内部を見えなくするようにしたいという要望がある。
【０００９】
ところが、棚Ａ２，Ａ３に収納された家電製品の使用中にシャッター等で閉じられてしまうと、使用に伴って発生する水蒸気が当該棚Ａ３内に溜ってしまうので、内部で結露が発生したり、場合によってはカビが発生したりすることがある。
【００１０】
さらに、特許文献２には、家電収納用の前面が開放した棚をドア体により開閉可能に備えると共に、このドア体の閉鎖時における裏面側近傍に電源コンセントを設けたキャビネットが開示されている。この特許文献２によるキャビネットでは、家電製品の使用時に、ドア体を閉鎖できないようにするために、ドア体の閉鎖位置の裏面側近傍に電源コンセントを設けることにより、家電製品の電源コードを電源コンセントに挿入した状態ではドア体が閉鎖できないようにしている。
【特許文献１】特開２００４−２７５２４６号公報
【特許文献２】特開平０９−０８４６４３号公報
【発明の開示】
【発明が解決しようとする課題】
【００１１】
しかしながら、特許文献２のキャビネットでは、来客時等においてドア体を閉鎖することで、雑然とした棚内部を隠蔽することは可能ではあるが、家電製品の電源を入れていない場合であっても、ドア体を閉鎖する度に、家電製品の電源コードを電源コンセントから外すことが必要となり、操作が煩雑である。また、使用時に水蒸気を発生させない家電製品であっても、ドア体の閉鎖時には使用することができないなど、使い勝手が悪い。
【００１２】
本発明は、以上の点に鑑み、簡単な構成により、不用意なシャッターの閉鎖を回避できるようにした家電収納キャビネットを提供することを目的としている。
【課題を解決するための手段】
【００１３】
上記目的を達成するために、本発明の家電収納キャビネットは、複数段の上下に並んでそれぞれ前面が開放した棚と、これらの棚のうち少なくとも一つの家電収納用の棚内に備えられた給電用の電源コンセントと、これらの棚の開放した前面を閉鎖し得るように上方へ退避可能に支持されたシャッターとを具備するとともに、電源コンセントを備えた棚におけるシャッターの閉鎖を機械的に阻止し得るストッパーをシャッターの通路に退避可能に設け、上記シャッターを閉鎖するためには上記ストッパーの退避操作を必要としたことを特徴としている。
【００１４】
本発明の家電収納キャビネットは、好ましくは、ストッパーをシャッターの通路から退避させる駆動手段と、この駆動手段を駆動制御する操作手段と、を備えている。
【発明の効果】
【００１５】
上記構成によれば、電源コンセントを備えた棚に設けられたストッパーが、常にシャッターの通路内に位置し、使用者はストッパーの退避操作を行わなければシャッターを閉鎖することができないので、退避操作の際に使用者に家電製品の使用状態の確認を促すことができ、家電製品の使用中に使用者が不用意にシャッターを閉鎖してしまい、水蒸気が内部に溜ってしまう、といった不具合を回避することが可能となる。
【００１６】
また、シャッターを閉鎖したい場合には、使用者は、家電製品が使用されていない、或いは水蒸気を発生させない家電製品のみが使用されていることを確認し、ストッパーをシャッターの通路から退避させる退避操作を行い、シャッターを閉鎖することができる。従って、来客時等においては、使用者が意図的にストッパーを退避させて、シャッターを閉鎖することにより雑然とした棚内を隠蔽することができる。
【００１７】
ストッパーをシャッターの通路から退避させる駆動手段とこの駆動手段を家電収納キャビネットの外側から駆動制御する操作手段とを備えている場合には、家電収納キャビネットの外側に露出した操作手段を操作することで駆動手段を作動させて、ストッパーをシャッターの通路から退避させることができる。これにより、使用者は、簡単な操作によって容易にストッパーをシャッターの通路から退避させることができるので、一層容易にシャッターを閉鎖することができる。
【００１８】
このようにして、本発明によれば、家電製品の使用中に、使用者が誤ってシャッターを閉じることが効果的に回避され、シャッターが閉じた状態で、その棚内に収納された家電製品の使用により水蒸気が内部に溜ってしまう事態を防止することができる。
【発明を実施するための最良の形態】
【００１９】
以下、図面を参照しつつ、背景技術と同一または対応する部材には同一符号を用いて、本発明を詳細に説明する。
［第一の実施の形態］
図１及び図２は本発明による家電収納キャビネットの第一の実施の形態の構成を示している。これらの図において、家電収納キャビネット１０は、例えばシステムキッチンに組み込まれて使用され、左右一対の側板１１ａ，１１ｂと、天板１２，底板１３及び背板１４と、複数の棚板１５と、から構成されており、互いに組み付けられることで、前面が開放した複数段の棚、図示の場合、四段の棚Ａと、後述するシャッター収納部１６ｃと、を画成している。なお、底板１３は、その下方に配置された台輪１３ａにより僅かに浮き上がった状態に配置されている。
【００２０】
さらに、この家電収納キャビネット１０は、棚Ａのうち、上方の三つの棚Ａ１，Ａ２，Ａ３の開放した前面を閉鎖し得ると共に、上方へ退避可能なシャッター１６と、シャッター閉鎖を阻止するストッパー２０（図２参照）と、を備えている。また、最下段の棚Ａ４は、例えば食器類や台所用品などを収納する通常の収納棚として構成されており、図示の場合、前面を閉鎖するための扉１７を備えている。
【００２１】
これに対して、中間の二段の棚Ａ２，Ａ３は、それぞれ電子レンジやコーヒーメーカーの収納用、そして電気ポット，電気炊飯器，オーブントースター等の使用時に水蒸気を発生する家電製品を収納するための家電収納棚として構成されている。下から二段目の棚Ａ３の後端には、図２に示すように上述した特許文献１に記載の送風装置７が配置されている。
【００２２】
さらに、中間の二段の棚Ａ２，Ａ３には、それぞれ内部の後端面、即ち棚Ａ２では背板１４の前面、棚Ａ３では遮蔽板７ａの前面の所定位置に、それぞれ給電用の電源コンセント１９ａ，１９ｂが設けられている。なお、これらの電源コンセント１９ａ，１９ｂは、それぞれ側板１１ａまたは１１ｂの内面に設けられていてもよい。
【００２３】
これらの電源コンセント１９ａ，１９ｂは、外部の電源、例えば一般商用電源に接続されて給電されるようになっており、これらの電源コンセント１９ａ，１９ｂに、棚Ａ２，Ａ３内に収納される電子レンジ，電気ポット，電気炊飯器等の家電製品の電源コードを接続することでこれらの家電製品が使用される。
そして、電源コンセント１９ｂには、接続された家電製品の使用を検出する家電使用検出手段としての家電使用センサが設けられている。これにより、家電製品使用時に、家電使用センサがその使用状態を検知して、送風装置７が作動する。
【００２４】
家電使用センサは、例えば電流センサとして構成されており、家電製品の電源オンにより電源コンセント１９ｂに所定値以上の電流が流れたとき、これを検出する。
【００２５】
シャッター１６は、棚Ａのうち、上方の三つの棚Ａ１，Ａ２，Ａ３の前面を閉鎖し得るように、上方へ退避可能に構成されている。具体的には、シャッター１６は、横方向に細長く延びるシャッター部材１６ａが上下に多数連結されることで構成されていると共に、下端１６ｂが比較的剛性のある部材から構成されている。
【００２６】
このシャッター１６は、その両側縁が側板１１ａ，１１ｂの内側の前縁付近に設けられたガイド溝１１ｃ，１１ｄ内に沿って上下方向に案内されると共に、棚Ａ１の上方に設けられたシャッター収納部１６ｃ内に渦巻き状に折り畳んだ状態で収納される。
【００２７】
このようにして、シャッター１６は、使用者がシャッターの下端１６ｂを持って下方へ移動させることにより、図３に示すように、各棚Ａ１，Ａ２，Ａ３の前面を閉鎖するようになっている。なお、シャッター１６は、好ましくは、容易に上方へ移動し得るように、図示しないバネ等により上方に向かって付勢されている。これにより、使用者がシャッター１６の下端１６ｂを持って上方へ移動させる際に、比較的小さな力で上方へ移動させることが可能である。
【００２８】
ストッパー２０は、各棚Ａ２，Ａ３の上端付近にそれぞれ設けられており、ガイド溝１１ｃ，１１ｄにより案内されるシャッター１６の通路内に進退可能に支持されている。図示の場合、ストッパー２０は、左右の側板１１ａ，１１ｂに設けられているが、右の側板１１ｂのみに或いは左の側板１１ａのみに設けられていてもよい。
【００２９】
このストッパー２０は、公知の構成であって、図４にて実線で示す係止位置と、点線で示す退避位置との間を移動可能に、そして係止位置及び退避位置でそれぞれロック可能に構成されている。これにより、各ストッパー２０は、図４にて矢印で示すように、中心から左右外側方向に使用者が手指等で押動することによりロック解除され、交互に挿入位置または退避位置に移動し、再ロックされ得るようになっている。そして、各ストッパー２０は、通常は係止位置に在ってシャッター１６の下降を阻止する。
【００３０】
本発明の第一の実施形態による家電収納キャビネット１０は以上のように構成されており、シャッター１６は通常は開放されていて、各棚Ａ１，Ａ２，Ａ３は前面が開放して内部が見えるようになっている。そして、例えば棚Ａ２内にはコーヒーメーカーが収納され、また棚Ａ３内には電気ポット及び電気炊飯器が収納され、それぞれ電源コードが電源コンセント１９ａ，１９ｂに接続される。
【００３１】
この状態から、例えば電気炊飯器の電源がオンされると、電源コンセント１９ｂから電気炊飯器に給電が行なわれ、電気炊飯器が動作する。そして、家電使用センサが、電源コンセント１９ｂの電流を感知して、家電使用を検出することにより、送風装置７が動作を開始する。
【００３２】
また、シャッター１６の下端１６ｂが下方へ移動されると、図３に示すように、シャッター１６が棚Ａ１〜Ａ３を閉鎖することになり、例えば不意の来客時等に、棚Ａ１〜Ａ３の雑然とした内部を隠蔽することができる。その際、各棚Ａ２，Ａ３においては、それぞれストッパー２０が係止位置に在るので、使用者は、シャッター１６を下方へ移動する際に、各ストッパー２０を係止位置から退避位置に押動して、退避位置にロックした状態でシャッター１６を下降させる必要がある。このため、シャッター１６の閉鎖の際には、使用者が意図的にストッパー２０を退避位置に移動させる操作が必要となる。従って、使用者に家電製品の使用状態の確認を促すことができ、棚Ａ２またはＡ３内での家電使用中に、使用者が不用意にシャッター１６を閉鎖してしまうことが回避される。さらに、ストッパー２０は、各棚Ａ２，Ａ３にそれぞれ設けられているため、各棚毎の家電製品の使用状態の確認を使用者に促すことができる。
【００３３】
さらに、シャッター１６を開放したときには、使用者は各ストッパー２０を退避位置から係止位置に移動させることにより、再びシャッター１６の閉鎖が阻止される。
なお、上述したストッパー２０として、退避位置ではロックせず常に係止位置に向かって付勢されているストッパーを採用することも可能であり、その場合、シャッター１６を開放したときには、各ストッパー２０は自動的に係止位置に移動するので、使用者がシャッター開放の度に各ストッパー２０を係止位置に移動させる操作が不要になる。
【００３４】
［第二の実施の形態］
図５は本発明による家電収納キャビネットの第二の実施形態の構成を示している。図５において、家電収納キャビネット３０は、図１に示した家電収納キャビネット１０とほぼ同様の構成であって、以下の点でのみ異なる構成になっている。即ち、家電収納キャビネット３０は、図１に示した家電収納キャビネット１０におけるストッパー２０の代わりに、係止制御装置３１を備えている。
【００３５】
この係止制御装置３１は、図５に示すように、シャッター検出センサ３２と、制御回路３３と、係止装置３４と、操作部３５と、から構成されている。シャッター検出センサ３２は、図６に示すように、リミットスイッチとして構成されており、そのアクチュエータ３２ａが、ガイド溝１１ｃ，１１ｄに沿って下降するシャッター１６で押動されることによって、シャッター１６を検出する。なお、シャッター検出センサ３２としては、リミットスイッチに限定されることなく、シャッターを検出できるものであれば、任意の他の形式のシャッター検出センサ、例えば透過型フォトカプラ，反射型フォトカプラや静電センサ等を使用するようにしてもよい。
【００３６】
ここで、シャッター検出センサ３２は、シャッター１６を検出すべき棚Ａ２，Ａ３毎にそれぞれ設けられており、図示の場合、各棚Ａ２，Ａ３にて、その上端付近に配置されている。これにより、シャッター検出センサ３２は、それぞれ棚Ａ２，Ａ３にてその前面がシャッター１６により閉じかけた状態を検出することができる。
【００３７】
また、制御回路３３は、家電収納キャビネット３０の適宜の位置、例えば図１にて鎖線で示すように、底板１３の下側で台輪１３ａ内に配置されていて、図６に示すように、各シャッター検出センサ３２からの検出信号と操作部３５からの制御信号とに基づいて、係止装置３４を制御する。
【００３８】
この係止装置３４は、図６に示すように、棚Ａ２，Ａ３におけるシャッター検出センサ３２のすぐ下の位置に配置されており、ガイド溝１１ｃ，１１ｄにより案内されるシャッター１６の通路内に進退可能に支持されたストッパー３６と、このストッパー３６をシャッター１６の通路内に挿脱する駆動手段３７と、から構成されている。各係止装置３４は、制御回路３３からの制御信号に基づいてトグル式に駆動手段３７でストッパー３２をシャッター１６の通路内に挿入し又は退避させることでシャッター１６の閉鎖（下降）を阻止し又は許すようになっている。なお、制御回路３３は、各係止装置３４に対して制御信号を送出する前にシャッター検出センサ３２から検出信号をチェックして、各棚Ａ２，Ａ３におけるシャッター開放を確認したときのみ、ストッパー３２の挿入のための制御信号を送出する。
【００３９】
駆動手段３７は、図示の場合、図示しないモータにより回転駆動されるピニオン３７ａと、このピニオン３７ａの回転により直線往復運動するラック３７ｂとから構成され、ラック３７ｂに支持されたストッパー３６を矢印方向に往復移動させる。
【００４０】
操作部３５は、例えば家電収納キャビネット３０の外側の使用者が操作しやすい場所、例えば図１及び図３にて鎖線で示すように、棚Ａ３とＡ４の間の前面に配置されており、使用者が操作することによって、駆動手段３７によりストッパー３６を挿入位置または退避位置に移動させることができる。
【００４１】
図示の場合には、操作部３５は、操作ボタン３５ａを操作することにより棚Ａ２，Ａ３の係止装置３４の駆動手段３７を制御してストッパー３６を退避位置に移動させ、また操作ボタン３５ｂを操作することにより棚Ａ２，Ａ３の係止装置３４の駆動手段３７を制御してストッパー３６を挿入位置に移動させる。
【００４２】
このような構成の家電収納キャビネット３０によれば、図１及び図２に示した家電キャビネット１０と同様に、シャッター１６は通常は開放されていて、各棚Ａ１，Ａ２，Ａ３は前面が開放して内部が見えるようになっている。そして、例えば棚Ａ２内にはコーヒーメーカーが収納され、また棚Ａ３内には電気ポット及び電気炊飯器が収納され、それぞれ電源コードが電源コンセント１９ａ，１９ｂに接続される。
【００４３】
この状態から、例えば電気炊飯器の電源がオンされると、電源コンセント１９ｂから電気炊飯器に給電が行なわれ、電気炊飯器が動作する。そして、家電使用センサが、電源コンセント１９ｂの電流を感知して家電使用を検出することにより、送風装置７が動作を開始する。
【００４４】
また、シャッター１６の下端１６ｂが下方へ移動されると、図３に示すように、シャッター１６が棚Ａ１〜Ａ３を閉鎖することになり、例えば不意の来客時等に、棚Ａ１〜Ａ３の雑然とした内部を隠蔽することができる。
【００４５】
さらに、家電収納キャビネット３０の係止制御装置３１は、図７のフローチャートに従って以下のように動作する。
まず、ステップＳ１にて操作部３５の操作ボタン３５ａが操作されると、制御回路３３はステップＳ２にて対応する棚Ａ２及びＡ３の係止装置３４の駆動手段３７を駆動させる。これにより、双方のストッパー３６がシャッター１６の通路から退避して、退避位置まで移動する。これにより、ステップＳ３にて、棚Ａ２及びＡ３におけるシャッター１６の閉鎖が可能になる。
【００４６】
続いて、ステップＳ４にて操作部３５の操作ボタン３５ｂが操作されると、制御回路３３はステップＳ５にて棚Ａ３のシャッター検出センサ３２の検出信号に基づいて当該棚Ａ３のシャッター開放をチェックする。ステップＳ５にてシャッター１６が閉じている場合には、制御回路３３は棚Ａ３にてシャッター閉鎖と判断し、当該棚Ａ３の係止装置３４の作動を中止して、そのままステップＳ４に戻る。
【００４７】
ステップＳ５にて当該棚Ａ３のシャッターが開放している場合には、制御回路３３は、ステップＳ６にて当該棚Ａ３の係止装置３４のストッパー３６が退避位置に在ることを確認する。ストッパー３６が退避位置に在るときには、制御回路３３は、ステップＳ７にてストッパー３６をシャッター１６の通路に進入させることでシャッター１６の閉鎖を阻止する。
【００４８】
続いて、ステップＳ８にて、制御回路３３は棚Ａ２のシャッター検出センサ３２の検出信号に基づいて当該棚Ａ２のシャッター開放をチェックする。
ステップＳ８にてシャッター１６が閉じている場合には、制御回路３３は当該棚Ａ２にてシャッター閉鎖と判断し当該棚Ａ２の係止装置３４の作動を中止して、そのままステップＳ４に戻る。
ステップＳ８にて当該棚Ａ２のシャッターが開放している場合には、制御回路３３は、ステップＳ９にて当該棚Ａ２の係止装置３４のストッパー３６が退避位置に在ることを確認する。ストッパー３６が退避位置に在るときには、制御回路３３は、ステップＳ１０にて当該棚Ａ２の係止装置３４を作動させてストッパー３６をシャッター１６の通路に進入させることでシャッター１６の閉鎖を阻止し、ステップＳ１に戻る。
なお、ステップＳ６及びＳ９にてストッパー３６が係止位置に在る場合には、制御回路３３は当該棚Ａ２の係止装置３４の作動を中止してそのままステップＳ４に戻る。そして、制御回路３３は、上述したステップＳ１〜Ｓ１０の動作を繰り返し行なう。
【００４９】
このようにして、家電製品、特に電気炊飯器などの水蒸気を発生する家電製品の使用，不使用にかかわらず、常に係止装置３４により当該棚Ａ２，Ａ３におけるシャッター１６の閉鎖を強制的に阻止するストッパー３６を設け、使用者が退避操作を行わない限り、シャッター１６が閉じられない構成としたので、使用者がシャッター１６を閉じようとする際の退避操作時に、家電製品の使用状態の確認を促すことができ、家電製品の使用中に使用者が誤ってシャッター１６を閉じてしまう、といった事態を回避できる。従って、シャッター１６により閉鎖された棚Ａ２，Ａ３内に家電製品の使用により水蒸気が溜ったり、結露したり或いはカビが発生することが効果的に防止される。
【００５０】
本発明はその趣旨を逸脱しない範囲で様々な形態で実施することができる。例えば、上述した係止装置３４は、ストッパー３６を駆動手段３７により係止位置または退避位置に移動させるようになっているが、ストッパー３６が常に係止位置に向かって付勢されており、駆動手段３７は操作部３５からの制御信号に基づいて係止位置から退避位置にのみ移動させるようにしてもよい。この場合、シャッター１６を開放したときには、各ストッパー３６は、自動的に挿入位置に移動するので、使用者がシャッター開放の都度、操作部３５を操作してストッパー３６を挿入位置に移動させる手間が不要になると共に、操作部３５の各操作ボタン３５ａ，３５ｂをスイッチとすることにより、直接に駆動手段３７を駆動すれば、制御回路３３が省略できる。
【００５１】
さらに、上記した制御回路３３は係止装置３４のストッパー３６を挿入位置に移動させる際に操作部３５からの制御信号に基づいて係止装置３４の駆動手段３７を駆動するようになっているが、これに限らず、シャッター検出センサ３２の検出信号に基づいて棚Ａ２，Ａ３のシャッター開放を検出したとき、自動的に当該棚Ａ２，Ａ３における係止装置３４の駆動手段３７を駆動させて、ストッパー３６を挿入位置に移動させるようにしてもよい。
【００５２】
家電使用センサとしては、電流センサに限らず、家電製品が使用される際に発生する熱や水蒸気を検出する温度センサまたは湿度センサを利用することも可能である。これにより、家電製品使用時にはその発熱による温度上昇を温度センサにより検出し或いは使用に伴って発生する水蒸気による湿度上昇を湿度センサにより検出することで、家電製品の使用を検出することができる。
【００５３】
係止装置３４の駆動手段３７としては、ラック及びピニオンに限らず、ストッパー３６を往復移動させることができれば、他の任意の構成の駆動手段が使用され得ることは明らかである。例えば、駆動手段３７として、ソレノイドやプランジャ、あるいはリニアモータ等の直線駆動手段も使用することができる。
【００５４】
さらに、上述した実施形態においては、棚Ａのうち、最下段の棚Ａ４は、通常の扉付きの収納棚として構成されているが、これに限らず、システムキッチンで一般的に採用されている引出しを有する収納棚，扉無しの収納棚等の任意の形式の収納棚として構成されてもよい。
【００５５】
また、上述した実施形態においては、電源コンセント１９ａ，１９ｂ及びストッパー２０は、各棚Ａ２，Ａ３にそれぞれ設けられているが、ストッパー２０を棚Ａ２，Ａ３のうちいずれか一方のみに設け、ストッパー２０が設けられない棚には、使用時に水蒸気を発生させない電化製品を収納する構成としても良いし、棚Ａ２，Ａ３のうちいずれか一方のみに電源コンセントとストッパーとを設ける構成としても良い。
【図面の簡単な説明】
【００５６】
【図１】本発明による家電収納キャビネットの第一の実施形態の構成を示す概略斜視図である。
【図２】図１に示す家電収納キャビネットの縦断面図である。
【図３】図１に示す家電収納キャビネットにおけるシャッター閉鎖状態の概略斜視図である。
【図４】図１に示す家電収納キャビネットにおけるストッパーの部分拡大正面図である。
【図５】本発明による家電収納キャビネットの第二の実施形態の係止制御装置の構成を示すブロック図である。
【図６】上記第二の実施形態の要部の構成を示す部分拡大側面図である。
【図７】図５に示す家電収納キャビネットにおける係止制御装置の動作のフローチャートである。
【図８】従来の家電収納キャビネットの一例の構成を示す概略斜視図である。
【図９】図８の家電収納キャビネットの縦断面図である。
【符号の説明】
【００５７】
７    送風装置
１０    家電収納キャビネット
１１ａ，１１ｂ  側板
１２    天板
１３    底板
１４    背板
１５    棚板
１６    シャッター
１７    扉
１９ａ，１９ｂ  電源コンセント
２０    ストッパー
３０    家電収納キャビネット
３１    係止制御装置
３２    シャッター検出センサ
３３    制御回路
３４    係止装置
３５    操作部
３５ａ，３５ｂ  操作ボタン
３６    ストッパー
３７    駆動手段
【図１】
2007325803.tif 000003
【図２】
2007325803.tif 000004
【図３】
2007325803.tif 000005
【図４】
2007325803.tif 000006
【図５】
2007325803.tif 000007
【図６】
2007325803.tif 000008
【図７】
2007325803.tif 000009
【図８】
2007325803.tif 000010
【図９】
2007325803.tif 000011